【手続補正書】
【提出日】平成20年6月27日(2008.6.27)
【手続補正１】
【補正対象書類名】明細書
【補正対象項目名】特許請求の範囲
【補正方法】変更
【補正の内容】
【特許請求の範囲】
【請求項１】
情報処理装置から要求される印刷データを記憶する記憶手段を有する画像処理装置であって、
スキャナ装置で読み取られる複数の画像原稿を、前記印刷データの異なる所定位置にそれぞれを配置するための指定情報を入力する入力手段と、
前記入力手段から入力される情報に基づいて、前記印刷データと前記読み取られる複数の画像原稿との印刷処理を行う印刷処理手段と、
を有することを特徴とする画像処理装置。
【請求項２】
前記入力手段で指定される、前記画像原稿が配置される所定位置は、前記印刷データの表紙位置と裏表紙位置であることを特徴とする請求項１に記載の画像処理装置。
【請求項３】
さらに、前記表紙位置と前記裏表紙位置とにそれぞれ配置される画像原稿とは異なる画像原稿を、前記印刷データに対してオーバレイ処理することが可能であることを特徴とする請求項２に記載の画像処理装置。
【請求項４】
さらに、前記表紙位置と前記裏表紙位置とにそれぞれ配置される画像原稿とは異なる画像原稿を、前記表紙位置と前記裏表紙位置に配置された画像原稿の見返し位置に配置することが可能であることを特徴とする請求項２に記載の画像処理装置。
【請求項５】
前記画像処理装置が両面印刷可能な装置である場合、前記入力手段は前記表紙位置及び前記裏表紙位置、又は前記表紙位置及び前記裏表紙位置の見返し位置に前記画像原稿を配置指定する情報を入力可能とし、
前記画像処理装置が片面印刷のみが可能な装置である場合、前記入力手段は前記表紙位置に前記画像原稿を配置指定する情報のみを入力可能とすることを特徴とする請求項２又は４に記載の画像処理装置。
【請求項６】
前記画像原稿の枚数をカウントするカウント手段と、
前記カウント手段でカウントされた画像原稿の枚数で、前記入力手段で入力された情報に基づく印刷処理が可能か否かを判断する判断手段と、
を有することを特徴とする請求項１に記載の画像処理装置。
【請求項７】
前記画像処理装置の状態を表示する表示部と、
前記判断手段での判断の結果、前記印刷処理が不可の場合、前記表示部に印刷処理が不可である旨の情報を表示する表示手段と、
を有することを特徴とする請求項６に記載の画像処理装置。
【請求項８】
情報処理装置から要求される印刷データを記憶する記憶手段を有する画像処理装置であって、
前記記憶手段に記憶されている前記印刷データのうち、印刷処理すべき印刷データを指定する情報を入力する第一の入力手段と、
スキャナ装置で読み取られる画像原稿を、前記印刷データの所定の位置に配置指定する情報を入力する第二の入力手段と、
前記第一の入力手段及び第二の入力手段から入力される情報に基づいて、前記指定される印刷データと前記読み取られる画像原稿との印刷処理を行う印刷処理手段と、
を有することを特徴とする画像処理装置。
【請求項９】
前記第二の入力手段によって入力される、前記画像原稿が配置指定される所定の位置は、前記印刷データの表紙位置であることを特徴とする請求項８に記載の画像処理装置。
【請求項１０】
さらに、前記第二の入力手段は、前記表紙位置に配置される画像原稿とは異なる画像原稿を、前記印刷データの裏表紙位置に配置指定する情報を入力可能であることを特徴とする請求項９に記載の画像処理装置。
【請求項１１】
前記記憶手段に記憶されている前記印刷データに識別情報を付して管理する管理手段と、
前記第一の入力手段で指定する印刷処理すべき印刷データを、前記管理手段から印刷データ選択リストとして読み出す読出し手段と、
前記読出し手段で読み出した前記印刷データ選択リストを表示する表示手段と、
を有することを特徴とする請求項８に記載の画像処理装置。
【請求項１２】
前記印刷処理手段によって印刷処理された前記印刷データを前記記憶手段から削除し、前記管理手段が管理する管理情報を更新する更新手段を有することを特徴とする請求項１１に記載の画像処理装置。
【請求項１３】
情報処理装置から要求される印刷データを記憶する記憶部を有する画像処理装置の制御方法であって、
スキャナ装置で読み取られる複数の画像原稿を、前記印刷データの異なる所定位置にそれぞれを配置するための指定情報を入力する入力工程と、
前記入力工程から入力される情報に基づいて、前記印刷データと前記読み取られる複数の画像原稿との印刷処理を行う印刷処理工程と、
を有することを特徴とする画像処理装置の制御方法。
【請求項１４】
情報処理装置から要求される印刷データを記憶する記憶部を有する画像処理装置の制御方法であって、
前記記憶部に記憶されている前記印刷データのうち、印刷処理すべき印刷データを指定する情報を入力する第一の入力工程と、
スキャナ装置で読み取られる画像原稿を、前記印刷データの所定の位置に配置指定する情報を入力する第二の入力工程と、
前記第一の入力工程及び第二の入力工程から入力される情報に基づいて、前記指定される印刷データと前記読み取られる画像原稿との印刷処理を行う印刷処理工程と、
を有することを特徴とする画像処理装置の制御方法。
【請求項１５】
情報処理装置と、該情報処理装置から送信される印刷データを記憶するサーバ装置と、前記サーバ装置に記憶された該データを印刷処理する画像処理装置とがネットワークで接続されて構成される画像処理システムであって、
前記サーバ装置は、前記情報処理装置から送信される印刷データに固有の識別情報を付与し、管理情報を生成する管理手段と、
前記管理手段で管理される印刷データを記憶する記憶手段とを有し、
前記画像処理装置は、前記サーバ装置の前記記憶手段に記憶されている前記印刷データを受信する印刷データ受信手段と、
スキャナ装置で読み取られる複数の画像原稿を、前記印刷データの異なる所定位置にそれぞれを配置するための指定情報を入力する入力手段と、
前記入力手段から入力される情報に基づいて、前記印刷データ受信手段で受信した印刷データと前記複数の画像原稿との印刷処理を行う印刷処理手段と、
を有することを特徴とする画像処理システム。
【手続補正２】
【補正対象書類名】明細書
【補正対象項目名】００２２
【補正方法】削除
【補正の内容】
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】変更
【補正の内容】
【００２８】
本発明に係る第１４の発明は、情報処理装置から要求される印刷データを記憶する記憶部を有する画像処理装置の制御方法であって、前記記憶部に記憶されている前記印刷データのうち、印刷処理すべき印刷データを指定する情報を入力する第一の入力工程と、スキャナ装置で読み取られる画像原稿を、前記印刷データの所定の位置に配置指定する情報を入力する第二の入力工程と、前記第一の入力工程及び第二の入力工程から入力される情報に基づいて、前記指定される印刷データと前記読み取られる画像原稿との印刷処理を行う印刷処理工程とを有することを特徴とする。
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】変更
【補正の内容】
【００３６】
本発明に係る第１５の発明は、情報処理装置と、該情報処理装置から送信される印刷データを記憶するサーバ装置と、前記サーバ装置に記憶された該データを印刷処理する画像処理装置とがネットワークで接続されて構成される画像処理システムであって、前記サーバ装置は、前記情報処理装置から送信される印刷データに固有の識別情報を付与し、管理情報を生成する管理手段と、前記管理手段で管理される印刷データを記憶する記憶手段とを有し、前記画像処理装置は、前記サーバ装置の前記記憶手段に記憶されている前記印刷データを受信する印刷データ受信手段と、スキャナ装置で読み取られる複数の画像原稿を、前記印刷データの異なる所定位置にそれぞれを配置するための指定情報を入力する入力手段と、前記入力手段から入力される情報に基づいて、前記印刷データ受信手段で受信した印刷データと前記複数の画像原稿との印刷処理を行う印刷処理手段とを有するものである。